(57)【要約】【課題】単板式の投影装置に最適な投影性能を確保していながら温度上昇による画質の劣化の小さい投影光学系と、それを備えた投影装置を提供する。【解決手段】投影光学系ＬＮは、拡大側から、負の第１レンズ群Ｇｒ１と、正の第２レンズ群Ｇｒ２と、第２レンズ群Ｇｒ２よりも縮小側に位置し、変倍時に移動する複数のレンズ群と、変倍時固定の最終レンズ群と、を有する。最終レンズ群をＡ群ＧｒＡとし、その拡大側に隣接するレンズ群をＢ群ＧｒＢとしたとき、Ａ群ＧｒＡとＢ群ＧｒＢがともに正の屈折力を有し、Ａ群ＧｒＡ及びＢ群ＧｒＢ内のすべての正レンズが正の温度係数ｄｎ／ｄｔを有するガラスからなる。Ｂ群ＧｒＢは拡大側から順に正の単レンズＬｐと負の単レンズＬｍを有し、条件式：−１０＜ｆｍ／ｄＢ（ｆｍ：Ｂ群において最拡大側の正の単レンズに隣接する負の単レンズの焦点距離、ｄＢ：Ｂ群において最拡大側の正の単レンズとそれに隣接する負の単レンズとの軸上空気間隔）を満足する。【選択図】図１
2019086530.tif 000002
【特許請求の範囲】
【請求項１】
画像表示面に表示される画像を拡大投影し、複数のレンズ群を移動させて各レンズ群間隔を変化させることにより変倍を行う投影光学系であって、
拡大側から、負の屈折力を有する第１レンズ群と、正の屈折力を有する第２レンズ群と、前記第２レンズ群よりも縮小側に位置し、かつ、変倍時に移動する複数のレンズ群と、変倍時固定の最終レンズ群と、を有し、
前記最終レンズ群をＡ群とし、その拡大側に隣接するレンズ群をＢ群とし、レンズの温度変化に対する屈折率の変化率を温度係数ｄｎ／ｄｔとしたとき、
Ａ群とＢ群がともに正の屈折力を有し、Ａ群及びＢ群内のすべての正レンズが正の温度係数ｄｎ／ｄｔを有するガラスからなり、Ｂ群が拡大側から順に正の単レンズと負の単レンズを有し、以下の条件式（１）を満足することを特徴とする投影光学系；
−１０＜ｆｍ／ｄＢ  …（１）
ただし、
ｆｍ：Ｂ群において最拡大側の正の単レンズに隣接する負の単レンズの焦点距離、
ｄＢ：Ｂ群において最拡大側の正の単レンズとそれに隣接する負の単レンズとの軸上空気間隔、
である。
【請求項２】
以下の条件式（２）を満足することを特徴とする請求項１記載の投影光学系；
０．０１＜｜ｍＢ｜／Ｌｗ＜０．０５  …（２）
ただし、
ｍＢ：広角端から望遠端への変倍におけるＢ群の移動量、
Ｌｗ：広角端での投影光学系において最も拡大側のレンズ面から最も縮小側のレンズ面までの軸上距離、
である。
【請求項３】
前記Ｂ群の拡大側に隣接するレンズ群をＣ群としたとき、前記Ｃ群が負の屈折力を有することを特徴とする請求項１又は２記載の投影光学系。
【請求項４】
変倍時に最大の移動量を有するレンズ群が前記Ｃ群より拡大側に位置することを特徴とする請求項３記載の投影光学系。
【請求項５】
前記Ｃ群よりも拡大側に正の屈折力を有するレンズ群を第３レンズ群として有することを特徴とする請求項３又は４記載の投影光学系。
【請求項６】
前記画像表示面を有する画像表示素子と、前記画像表示面に表示される画像をスクリーン面に拡大投影する請求項１〜５のいずれか１項に記載の投影光学系と、を備えたことを特徴とする投影装置。
【請求項７】
投影時に使用可能なあらゆる状況に対する色ズレ量を記録しておき、使用時は投影状況を識別して画像表示素子側で対応する逆方向の色ズレを発生させることにより色ズレを補正することを特徴とする請求項６記載の投影装置。
【発明の詳細な説明】
【技術分野】
【０００１】
本発明は画像表示面に表示される画像を拡大投影する投影光学系及び投影装置に関するものであり、例えば、単板式のカラー画像投影に最適な投影光学系と、それを備えた投影装置に関するものである。
【背景技術】
【０００２】
近年、投影装置の解像度が上がるにつれて、照明光により投影光学系の温度が上昇することによる画質の劣化が問題になってきている。投影光学系の性能を上げるには、正レンズに異常分散性の大きいガラスを使用することが効果的であるが、そのようなガラスは通常のガラスと異なり、温度上昇で屈折率が下がるものが多い。そのため、温度上昇によってレンズ全体での焦点距離変動が大きくなり、結果として、性能変化が大きくなって画質の劣化を招くことになる。
【０００３】
その対策として、温度上昇で屈折率が下がるガラスを正レンズに使わないという方法が挙げられる。しかし、その方法を採用すると、光学系の投影性能、特に色収差が悪化してしまう。特に単板式の投影装置では、構造上軸上色収差を抑える必要があるため、投影性能と温度特性との両立が難しい。例えば特許文献１，２では、単板式の投影装置に最適な投影光学系が提案されているが、この問題は解消されていない。
【先行技術文献】
【特許文献】
【０００４】
【特許文献１】特開２０１５−１２７７５３号公報
【特許文献２】特開２０００−１１１７９７号公報
【発明の概要】
【発明が解決しようとする課題】
【０００５】
例えば、特許文献１記載の投影光学系では、良好な投影性能が得られてはいるが、温度による屈折率変化の大きいガラスを多用しているため、温度による画質の劣化が大きい。特許文献２記載の投影光学系では、温度による屈折率変化の大きいガラスを使用していないが、縮小側のレンズの構成が適切ではないため、所望の投影性能が得られていない。
【０００６】
本発明はこのような状況に鑑みてなされたものであって、その目的は、単板式の投影装置に最適な投影性能を確保していながら温度上昇による画質の劣化の小さい投影光学系と、それを備えた投影装置を提供することにある。
【課題を解決するための手段】
【０００７】
上記目的を達成するために、第１の発明の投影光学系は、画像表示面に表示される画像を拡大投影し、複数のレンズ群を移動させて各レンズ群間隔を変化させることにより変倍を行う投影光学系であって、
拡大側から、負の屈折力を有する第１レンズ群と、正の屈折力を有する第２レンズ群と、前記第２レンズ群よりも縮小側に位置し、かつ、変倍時に移動する複数のレンズ群と、変倍時固定の最終レンズ群と、を有し、
前記最終レンズ群をＡ群とし、その拡大側に隣接するレンズ群をＢ群とし、レンズの温度変化に対する屈折率の変化率を温度係数ｄｎ／ｄｔとしたとき、
Ａ群とＢ群がともに正の屈折力を有し、Ａ群及びＢ群内のすべての正レンズが正の温度係数ｄｎ／ｄｔを有するガラスからなり、Ｂ群が拡大側から順に正の単レンズと負の単レンズを有し、以下の条件式（１）を満足することを特徴とする。
−１０＜ｆｍ／ｄＢ  …（１）
ただし、
ｆｍ：Ｂ群において最拡大側の正の単レンズに隣接する負の単レンズの焦点距離、
ｄＢ：Ｂ群において最拡大側の正の単レンズとそれに隣接する負の単レンズとの軸上空気間隔、
である。
【０００８】
第２の発明の投影光学系は、上記第１の発明において、以下の条件式（２）を満足することを特徴とする。
０．０１＜｜ｍＢ｜／Ｌｗ＜０．０５  …（２）
ただし、
ｍＢ：広角端から望遠端への変倍におけるＢ群の移動量、
Ｌｗ：広角端での投影光学系において最も拡大側のレンズ面から最も縮小側のレンズ面までの軸上距離、
である。
【０００９】
第３の発明の投影光学系は、上記第１又は第２の発明において、前記Ｂ群の拡大側に隣接するレンズ群をＣ群としたとき、前記Ｃ群が負の屈折力を有することを特徴とする。
【００１０】
第４の発明の投影光学系は、上記第３の発明において、変倍時に最大の移動量を有するレンズ群が前記Ｃ群より拡大側に位置することを特徴とする。
【００１１】
第５の発明の投影光学系は、上記第３又は第４の発明において、前記Ｃ群よりも拡大側に正の屈折力を有するレンズ群を第３レンズ群として有することを特徴とする。
【００１２】
第６の発明の投影装置は、前記画像表示面を有する画像表示素子と、前記画像表示面に表示される画像をスクリーン面に拡大投影する上記第１〜第５のいずれか１つの発明に係る投影光学系と、を備えたことを特徴とする。
【００１３】
第７の発明の投影装置は、上記第６の発明において、投影時に使用可能なあらゆる状況に対する色ズレ量を記録しておき、使用時は投影状況を識別して画像表示素子側で対応する逆方向の色ズレを発生させることにより色ズレを補正することを特徴とする。
【発明の効果】
【００１４】
本発明によれば、最終レンズ群とその拡大側に隣接するレンズ群が特徴的なレンズを有する構成になっているため、投影性能と温度特性とを両立させることができる。したがって、単板式の投影装置に最適な投影性能を確保していながら温度上昇による画質の劣化の小さい投影光学系と、それを備えた投影装置を実現することが可能である。
【図面の簡単な説明】
【００１５】
【図１】第１の実施の形態（実施例１）の光学構成図。
【図２】第２の実施の形態（実施例２）の光学構成図。
【図３】第３の実施の形態（実施例３）の光学構成図。
【図４】第４の実施の形態（実施例４）の光学構成図。
【図５】第５の実施の形態（実施例５）の光学構成図。
【図６】実施例１の収差図。
【図７】実施例２の収差図。
【図８】実施例３の収差図。
【図９】実施例４の収差図。
【図１０】実施例５の収差図。
【図１１】投影装置の一実施の形態を示す模式図。
【図１２】色ズレの補正を説明するための模式図。
【発明を実施するための形態】
【００１６】
以下、本発明の実施の形態に係る投影光学系，投影装置等を説明する。本発明の実施の形態に係る投影光学系は、画像表示素子（例えば、デジタル・マイクロミラー・デバイス(digital micromirror device)，ＬＣＤ(liquid crystal display)等）の画像表示面に表示される画像を拡大投影し、複数のレンズ群を移動させて各レンズ群間隔を変化させることにより変倍を行う投影光学系であって、拡大側から、負の屈折力を有する第１レンズ群と、正の屈折力を有する第２レンズ群と、前記第２レンズ群よりも縮小側に位置し、かつ、変倍時に移動する複数のレンズ群と、変倍時固定の最終レンズ群と、を有するものである。
【００１７】
そして、前記最終レンズ群をＡ群とし、その拡大側に隣接するレンズ群をＢ群とし、レンズの温度変化に対する屈折率の変化率を温度係数ｄｎ／ｄｔとしたとき、Ａ群とＢ群がともに正の屈折力を有し、Ａ群及びＢ群内のすべての正レンズが正の温度係数ｄｎ／ｄｔを有するガラスからなり、Ｂ群が拡大側から順に正の単レンズと負の単レンズを有し、以下の条件式（１）を満足する構成になっている。
−１０＜ｆｍ／ｄＢ  …（１）
ただし、
ｆｍ：Ｂ群において最拡大側の正の単レンズに隣接する負の単レンズの焦点距離、
ｄＢ：Ｂ群において最拡大側の正の単レンズとそれに隣接する負の単レンズとの軸上空気間隔、
である。
【００１８】
なお、「拡大側」は拡大された光学像が投影されるスクリーン面（拡大側像面）の方向（いわゆる前側）であり、その逆方向は「縮小側」、つまり元の光学像を画像表示面（縮小側像面）に表示する画像表示素子（例えば、デジタル・マイクロミラー・デバイス）が配置される方向（いわゆる後側）である。
【００１９】
上記のように、拡大側から負の第１レンズ群と正の第２レンズ群のパワー配置とすることで、レンズ径を小さくしつつ軸外収差、特に像面湾曲を効果的に補正することが可能となる。また、第２レンズ群よりも縮小側に変倍時可動の複数のレンズ群を配置することで、高いズーム性能と高いズーム比を容易に実現することができる。さらに、Ａ群及びＢ群として縮小側に正のレンズ群を２つ並べ、最終レンズ群（すなわちＡ群）を変倍時に固定にすることで、全ズーム域でテレセントリック性が確保しやすくなる。
【００２０】
光源に近いＡ群及びＢ群内の正レンズに屈折率の温度係数ｄｎ／ｄｔが負のガラスを使わないことで、温度上昇による屈折率変動を正レンズと負レンズでキャンセルすることができ、温度上昇による性能変動を小さくすることが可能となる。
【００２１】
条件式（１）は、Ｂ群内で軸上色収差を補正しやすくするための条件を規定している。上記投影光学系の構成では、Ｂ群内で軸上マージナル光線高さが高くなる拡大側に正レンズと負レンズを置くことで、軸上色収差を補正する構成としている。条件式（１）の下限を上回ることで、最拡大側の正レンズを通る軸上マージナル光線高さを高くできるため、更に効率的に軸上色収差を補正することが可能となる。
【００２２】
上述した特徴的構成を有する投影光学系では、最終レンズ群とその拡大側に隣接するレンズ群が特徴的なレンズを有する構成になっているため、投影性能と温度特性とを両立させることができる。したがって、単板式の投影装置に最適な投影性能を確保していながら温度上昇による画質の劣化の小さい投影光学系を実現することが可能である。そして、その投影光学系を投影装置に用いれば、投影装置の高性能化，高機能化，コンパクト化等に寄与することができる。こういった効果をバランス良く得るとともに、更に高い光学性能，小型化等を達成するための条件等を以下に説明する。
【００２３】
以下の条件式（１ａ）を満足することが望ましい。
−９＜ｆｍ／ｄＢ＜−３  …（１ａ）
この条件式（１ａ）は、前記条件式（１）が規定している条件範囲のなかでも、前記観点等に基づいた更に好ましい条件範囲を規定している。条件式（１ａ）の上限を上回ると、負レンズを通過する軸上マージナル光線高さが低くなりすぎて、効率的な軸上色収差補正が困難な傾向となる。つまり、条件式（１ａ）の上限を上回らないようにすれば、負レンズを通過する軸上マージナル光線高さが低くなりすぎず、効率的に軸上色収差を補正するうえで有利になる。したがって、好ましくは条件式（１ａ）を満たすことにより、前記効果をより一層大きくすることができる。
【００２４】
以下の条件式（２）を満足することが望ましい。
０．０１＜｜ｍＢ｜／Ｌｗ＜０．０５  …（２）
ただし、
ｍＢ：広角端から望遠端への変倍におけるＢ群の移動量、
Ｌｗ：広角端での投影光学系において最も拡大側のレンズ面から最も縮小側のレンズ面までの軸上距離、
である。
【００２５】
条件式（２）は、Ｂ群の移動量を規定している。条件式（２）の上限を上回ると、Ｂ群の移動量が大きくなりすぎて、変倍時の軸上色収差変動が増大傾向となる。条件式（２）の下限を下回ると、Ｂ群の移動量が小さくなりすぎるため、Ｂ群での広角端の軸外収差（具体的には主に像面湾曲等）の補正が難しくなる。その結果、第２レンズ群と第３レンズ群だけで軸外収差補正を行う必要が出てくるため、良好な性能を得ることが困難になる。したがって、この条件式（２）の範囲内が望ましく、条件式（２）を満たすことにより、軸上色収差と軸外収差とをバランス良く補正することが可能になる。
【００２６】
以下の条件式（２ａ）を満足することが更に望ましい。
０．０１５＜｜ｍＢ｜／Ｌｗ＜０．０５  …（２ａ）
この条件式（２ａ）は、前記条件式（２）が規定している条件範囲のなかでも、前記観点等に基づいた更に好ましい条件範囲を規定している。したがって、好ましくは条件式（２ａ）を満たすことにより、前記効果をより一層大きくすることができる。
【００２７】
前記Ｂ群の拡大側に隣接するレンズ群をＣ群としたとき、前記Ｃ群が負の屈折力を有することが望ましい。負のＣ群を（固定群又は移動群として）配置することにより、Ｂ群の拡大側の正負の単レンズに加えて、Ｃ群でも軸上色収差を補正することができ、更に良好な投影性能を得ることができる。
【００２８】
変倍時に最大の移動量を有するレンズ群が前記Ｃ群より拡大側に位置することが望ましい。一般に移動量最大のレンズ群が最も変倍に働くため、上記の構成にすることで、変倍作用の多くを拡大側のレンズ群に持たせ、Ｂ群とＣ群の変倍作用を小さくすることができる。このことにより、Ｂ群とＣ群を主に軸上色収差補正に効かせた上で、移動量も小さくすることができ、変倍時の軸上色収差変動も小さくすることが可能となる。
【００２９】
前記Ｃ群よりも拡大側に正の屈折力を有するレンズ群を第３レンズ群として有することが望ましい。このように構成すると、第２レンズ群に加えて第３レンズ群でも軸外収差（像面湾曲等）を補正することができ、更に良好な投影性能を得ることが可能となる。
【００３０】
次に、第１〜第５の実施の形態を挙げて、変倍機能を有する投影光学系ＬＮの具体的な光学構成を説明する。図１〜図５は、第１〜第５の実施の形態を構成する投影光学系ＬＮにそれぞれ対応する光学構成図であり、ズームレンズである投影光学系ＬＮのレンズ断面形状，レンズ配置等を、広角端（Ｗ）と望遠端（Ｔ）のそれぞれについて光学断面で示している。図１〜図５中の移動軌跡ｍｊ（ｊ＝１，２，…，６）は、広角端（Ｗ）から望遠端（Ｔ）へのズーミングにおける第ｊレンズ群Ｇｒｊ（ｊ＝１，２，…，６）の移動・固定状態をそれぞれ模式的に示している。このように投影光学系ＬＮが移動群を画像表示面ＩＭに対して相対的に移動させて軸上での各レンズ群間隔を変化させることにより、広角端（Ｗ）から望遠端（Ｔ）までの変倍を行う構成になっている。なお、投影光学系ＬＮの縮小側には、平行平面板ＰＴ（例えば、投影窓用の平板），プリズムＰＲ（例えば、ＴＩＲ(Total Internal Reflection)プリズム，色分解合成プリズム等）、及び画像表示素子のカバーガラスＣＧがズーム位置固定で配置されている。
【００３１】
第１〜第４の実施の形態の投影光学系ＬＮは、拡大側から順に、負の屈折力を有する第１レンズ群Ｇｒ１と、正の屈折力を有する第２レンズ群Ｇｒ２と、正の屈折力を有する第３レンズ群Ｇｒ３と、負の屈折力を有する第４レンズ群Ｇｒ４と、正の屈折力を有する第５レンズ群Ｇｒ５と、正の屈折力を有する第６レンズ群Ｇｒ６とからなり、各レンズ群間隔を変化させることにより変倍を行う６成分ズームレンズ（負正正負正正）であって、画像表示面ＩＭに表示される画像を拡大投影する構成になっている。最終レンズ群である第６レンズ群Ｇｒ６がＡ群ＧｒＡであり、その拡大側に隣接する第５レンズ群Ｇｒ５がＢ群ＧｒＢであり、Ｂ群ＧｒＢの拡大側に隣接する第４レンズ群Ｇｒ４がＣ群ＧｒＣであり、Ｂ群ＧｒＢは拡大側から順に正の単レンズＬｐと負の単レンズＬｍを有している。
【００３２】
第５の実施の形態の投影光学系ＬＮは、拡大側から順に、負の屈折力を有する第１レンズ群Ｇｒ１と、正の屈折力を有する第２レンズ群Ｇｒ２と、負の屈折力を有する第３レンズ群Ｇｒ３と、正の屈折力を有する第４レンズ群Ｇｒ４と、正の屈折力を有する第５レンズ群Ｇｒ５と、からなり、各レンズ群間隔を変化させることにより変倍を行う５成分ズームレンズ（負正負正正）であって、画像表示面ＩＭに表示される画像を拡大投影する構成になっている。最終レンズ群である第５レンズ群Ｇｒ５がＡ群ＧｒＡであり、その拡大側に隣接する第４レンズ群Ｇｒ４がＢ群ＧｒＢであり、Ｂ群ＧｒＢの拡大側に隣接する第３レンズ群Ｇｒ３がＣ群ＧｒＣであり、Ｂ群ＧｒＢは拡大側から順に正の単レンズＬｐと負の単レンズＬｍを有している。
【００３３】
また、第１，第２の実施の形態では、第１レンズ群Ｇｒ１と第４レンズ群Ｇｒ４と第６レンズ群Ｇｒ６が固定群であり、第２レンズ群Ｇｒ２と第３レンズ群Ｇｒ３と第５レンズ群Ｇｒ５が移動群である。第３の実施の形態では、第６レンズ群Ｇｒ６が固定群であり、第１〜第５レンズ群Ｇｒ１〜Ｇｒ５が移動群である。第４の実施の形態では、第１レンズ群Ｇｒ１と第６レンズ群Ｇｒ６が固定群であり、第２〜第５レンズ群Ｇｒ２〜Ｇｒ５が移動群である。第５の実施の形態では、第５レンズ群Ｇｒ５が固定群であり、第１〜第４レンズ群Ｇｒ１〜Ｇｒ４が移動群である。
【００３４】
第１〜第５の実施の形態は、非球面を含まない球面レンズ系であり、第１〜第４の実施の形態では第５レンズ群Ｇｒ５の最も拡大側に絞りＳＴを含み、第５の実施の形態では第４レンズ群Ｇｒ４の最も拡大側に絞りＳＴを含む構成になっている。また、第１〜第４の実施の形態では第５レンズ群Ｇｒ５をＢ群ＧｒＢとし、第５の実施の形態では第４レンズ群Ｇｒ４をＢ群ＧｒＢとして、Ｂ群ＧｒＢが拡大側から順に正の単レンズＬｐと負の単レンズＬｍを有し、前述した条件式（１）を満足する構成により、軸上色収差の効率的な補正を可能としている。
【００３５】
次に、上記投影光学系ＬＮを備えた投影装置の一実施の形態を説明する。図１１に、投影装置の一例として、プロジェクターＰＪの概略構成例を示す。このプロジェクターＰＪは、光源１，照明光学系２，反射ミラー３，プリズムＰＲ，画像表示素子（画像形成素子）４，制御部５，アクチュエーター６，メモリー７，投影光学系ＬＮ等を備えている。制御部５は、プロジェクターＰＪの全体制御を司る部分である。画像表示素子４は、光を変調して画像を生成する画像変調素子（例えば、デジタル・マイクロミラー・デバイス）であり、画像を表示する画像表示面ＩＭを有しており、その画像表示面ＩＭ上にはカバーガラスＣＧが設けられている。
【００３６】
光源１（例えば、レーザー光源，キセノンランプ等の白色光源）から出射した光は、照明光学系２，反射ミラー３及びプリズムＰＲで画像表示素子４に導かれて、画像表示素子４では画像光が形成される。プリズムＰＲは、例えばＴＩＲプリズム（他に色分離合成プリズム等）からなり、照明光と投影光との分離等を行う。画像表示素子４で形成された画像光は、投影光学系ＬＮでスクリーン面ＳＣに向けて拡大投射される。つまり、画像表示素子４に表示された画像ＩＭは、投影光学系ＬＮでスクリーン面ＳＣに拡大投影される。
【００３７】
プロジェクターＰＪは、上記のように、画像を表示する画像表示素子４と、光源１と、その光源１からの光を画像表示素子４に導く照明光学系２と、画像表示素子４の画像表示面ＩＭに表示された画像をスクリーン面ＳＣに拡大投影する投影光学系ＬＮと、を備えているが、投影光学系ＬＮが適用可能なプロジェクターはこれに限らない。例えば、画像表示面ＩＭ自身の発光により画像を表示する画像表示素子を用いれば、照明を不要にすることも可能であり、その場合、光源１や照明光学系２を用いずにプロジェクターを構成することが可能である。
【００３８】
投影光学系ＬＮにおいてズーミングやフォーカシングのために移動するレンズ群には、それぞれ光軸ＡＸに沿って拡大側又は縮小側に移動させるアクチュエーター６が接続されている。そしてアクチュエーター６には、移動群の移動制御を行うための制御部５が接続されている。なお、制御部５及びアクチュエーター６については、これを使わず手動でレンズ群を移動させてもよい。
【００３９】
このプロジェクターＰＪは、色ズレを補正する機能を有している。つまり、投影時に使用可能なあらゆる状況に対する色ズレ量をメモリー７（半導体メモリー，光ディスク等）に記録しておき、使用時は投影状況を識別して画像表示素子４側で対応する逆方向の色ズレを発生させることにより色ズレの補正を行う。図１２に、色ズレの補正を説明するための模式図を示す。上記の使用可能なあらゆる状況としては、具体的にはシフト投影が挙げられる。例えば図１２（Ａ）に示すように、画像表示素子４の中心より上方（又は下方）に投影したい場合は、投影装置本体ＰＢから投影光学系ＬＮを上方（又は下方）にシフトすることで対応するが、この場合、同じ投影光学系ＬＮを使用した場合でも色ズレ量は異なる。
【００４０】
具体的には、色ズレの主たる原因として倍率色収差、それも緑に対して赤の倍率色収差が大きい場合を考えた場合、シフトしない場合での投影像では緑に対し赤の投影像が小さくなる。それに対しシフトした場合では、例えば図１２（Ｂ）に示すように、緑Ｇに対し赤Ｒの投影像が小さくなった上に、投影光学系ＬＮをシフトした方向の反対側に赤Ｒの投影像がシフトした形となる。上記シフトが無く、倍率色収差が緑Ｇに対し赤Ｒが大きい場合には、画像表示素子４上で緑Ｇに対し赤Ｒの像を大きく表示すればよい。また、上記シフトがある場合では、図１２（Ｃ）に示すように、投影光学系ＬＮをシフトした方向に、緑Ｇに対し大きな赤Ｒの画像をシフトすればよい。このことにより、倍率色収差を良好に補正することができる。
【００４１】
また、回転対称でない偏芯による色ズレが発生した場合でも、同様な考え方で色ズレを補正することが可能である。この場合は、画像表示素子４上の画像サイズを変えるのではなく、発生した偏芯による色ズレの方向の反対側に各色の画像をシフトすることで補正が可能である。以上の色ズレ補正の機能により、Ａ群ＧｒＡ及びＢ群ＧｒＢ内の正レンズに屈折率の温度係数ｄｎ／ｄｔが通常と異なる異常分散性の大きいレンズを使用しないために、倍率色収差が発生した場合でも、色ズレの小さい投影像を得ることが可能となる。
【実施例】
【００４２】
以下、本発明を実施した投影光学系の構成等を、実施例のコンストラクションデータ等を挙げて更に具体的に説明する。ここで挙げる実施例１〜５（ＥＸ１〜５）は、前述した第１〜第５の実施の形態にそれぞれ対応する数値実施例であり、第１〜第５の実施の形態を表す光学構成図（図１〜図５）は、対応する実施例１〜５のレンズ断面形状，レンズ配置等をそれぞれ示している。
【００４３】
各実施例のコンストラクションデータでは、面データとして、左側の欄から順に、面番号ｉ，近軸における曲率半径ｒ（ｍｍ），軸上面間隔ｄ（ｍｍ），ｄ線（波長５８７．５６ｎｍ）に関する屈折率ｎｄ，及びｄ線に関するアッベ数ｖｄを示す。さらに、Ａ群ＧｒＡ及びＢ群ＧｒＢ内の正レンズに関しては、温度係数ｄｎ／ｄｔとして、２０〜４０℃における温度変化に対する屈折率（波長６３３ｎｍ）の変化率（／℃）を示す。なお、面番号ｉは拡大側から順に示しており、物体面（ｏｂｊｅｃｔ）はスクリーン面（拡大側像面）ＳＣに相当し（図１１）、像面（ｉｍａｇｅ）は画像表示面（縮小側像面）ＩＭに相当する。
【００４４】
実施例１〜５の各種データとして、ズーム比（ｚｏｏｍ  ｒａｔｉｏ，変倍比）を示し、さらに各焦点距離状態Ｗ（Ｗｉｄｅ），Ｍ（Ｍｉｄｄｌｅ），Ｔ（Ｔｅｌｅ）について、全系の焦点距離（Ｆｌ，ｍｍ），Ｆナンバー（Ｆｎｏ．），半画角（ω，°），像高（ｙｍａｘ，ｍｍ），レンズ全長（ＴＬ，ｍｍ），バックフォーカス（ＢＦ，ｍｍ），及び可変面間隔（ｄｉ，ｉ：面番号，ｍｍ）を示し、ズームレンズ群データとして、各レンズ群の焦点距離（ｍｍ）を示す。ただし、バックフォーカスＢＦは、レンズ最終面から近軸像面までの距離を空気換算長により表記しており、レンズ全長ＴＬは、レンズ最前面からレンズ最終面までの距離にバックフォーカスＢＦを加えたものである。また、像高ｙｍａｘは画像表示面ＩＭの対角長の半分に相当する。
【００４５】
表１に、条件式対応値，その関連データ等を各実施例について示す。ここで、条件式関連データ等として、負の単レンズＬｍの焦点距離（ｆｍ，ｍｍ），正の単レンズＬｐと負の単レンズＬｍとの軸上空気間隔（ｄＢ，ｍｍ），Ｂ群ＧｒＢの移動量（ｍＢ，ｍｍ），広角端（Ｗ）での投影光学系ＬＮにおいて最も拡大側のレンズ面から最も縮小側のレンズ面までの軸上距離（Ｌｗ，ｍｍ），望遠端（Ｔ）での投影光学系ＬＮにおいて最も拡大側のレンズ面から最も縮小側のレンズ面までの軸上距離（Ｌｔ，ｍｍ）を挙げる。なお、投影光学系ＬＮにおいて最も拡大側のレンズ面から最も縮小側のレンズ面までの軸上距離は、ＴＬ−ＢＦである。
【００４６】
図６〜図１０は、実施例１〜実施例５（ＥＸ１〜ＥＸ５）にそれぞれ対応する収差図（無限遠合焦状態での縦収差図）であり、（Ａ）〜（Ｃ）は広角端Ｗ、（Ｄ）〜（Ｆ）は中間焦点距離状態Ｍ、（Ｇ）〜（Ｉ）は望遠端Ｔにおける諸収差をそれぞれ示している。また、図６〜図１０において、（Ａ），（Ｄ），（Ｇ）は球面収差図、（Ｂ），（Ｅ），（Ｈ）は非点収差図、（Ｃ），（Ｆ），（Ｉ）は歪曲収差図である。なお、各実施例の投影光学系ＬＮをプロジェクターＰＪに用いる場合（図１１）、本来はスクリーン面（被投影面）ＳＣが像面であり画像表示面ＩＭが物体面であるが、各実施例では光学設計上それぞれ縮小系とし、スクリーン面ＳＣを物体面（ｏｂｊｅｃｔ）とみなして像面（ｉｍａｇｅ）に相当する画像表示面（縮小側像面）ＩＭで光学性能を評価している。
【００４７】
球面収差図は、実線で示すｄ線（波長５８７．５６ｎｍ）に対する球面収差量、一点鎖線で示すＣ線（波長６５６．２８ｎｍ）に対する球面収差量、破線で示すｇ線（波長４３５．８４ｎｍ）に対する球面収差量を、それぞれ近軸像面からの光軸ＡＸ方向のズレ量（単位：ｍｍ）で表しており、縦軸は瞳への入射高さをその最大高さで規格化した値（すなわち相対瞳高さ）を表している。非点収差図において、破線Ｔはｄ線に対するタンジェンシャル像面、実線Ｓはｄ線に対するサジタル像面を、近軸像面からの光軸ＡＸ方向のズレ量（単位：ｍｍ）で表しており、縦軸は像高（ＩＭＧ  ＨＴ，単位：ｍｍ）を表している。歪曲収差図において、横軸はｄ線に対する歪曲（単位：％）を表しており、縦軸は像高（ＩＭＧ  ＨＴ，単位：ｍｍ）を表している。
【００４８】
実施例１の投影光学系ＬＮは、全体で１７枚のレンズエレメントで構成されており、第１レンズ群Ｇｒ１が負、第２レンズ群Ｇｒ２が正、第３レンズ群Ｇｒ３が正、第４レンズ群Ｇｒ４が負、第５レンズ群Ｇｒ５が正、第６レンズ群Ｇｒ６が正の６成分ズームである。変倍時に第１レンズ群Ｇｒ１、第４レンズ群Ｇｒ４、第６レンズ群Ｇｒ６が固定、第２レンズ群Ｇｒ２、第３レンズ群Ｇｒ３、第５レンズ群Ｇｒ５が、広角端（Ｗ）から望遠端（Ｔ）への変倍において拡大側に移動し（移動軌跡ｍ２，ｍ３，ｍ５）、第３レンズ群Ｇｒ３の移動量が最も大きい。また、第５レンズ群Ｇｒ５は拡大側から両凸、両凹、両凸、両凸、両凹、両凸のそれぞれ単レンズの６枚構成となっており、第５レンズ群Ｇｒ５、第６レンズ群Ｇｒ６内の正レンズの屈折率の温度係数ｄｎ／ｄｔはすべて正の値である。
【００４９】
実施例２の投影光学系ＬＮは、全体で１７枚のレンズエレメントで構成されており、第１レンズ群Ｇｒ１が負、第２レンズ群Ｇｒ２が正、第３レンズ群Ｇｒ３が正、第４レンズ群Ｇｒ４が負、第５レンズ群Ｇｒ５が正、第６レンズ群Ｇｒ６が正の６成分ズームである。変倍時に第１レンズ群Ｇｒ１、第４レンズ群Ｇｒ４、第６レンズ群Ｇｒ６が固定、第２レンズ群Ｇｒ２、第３レンズ群Ｇｒ３、第５レンズ群Ｇｒ５が、広角端（Ｗ）から望遠端（Ｔ）への変倍において拡大側に移動し（移動軌跡ｍ２，ｍ３，ｍ５）、第２レンズ群Ｇｒ２と第３レンズ群Ｇｒ３が異なる移動軌跡で同じ量だけ移動し、最も大きい。また、第５レンズ群Ｇｒ５は拡大側から両凸、両凹、両凸、両凸、両凹、両凸のそれぞれ単レンズの６枚構成となっており、第５レンズ群Ｇｒ５、第６レンズ群Ｇｒ６内の正レンズの屈折率の温度係数ｄｎ／ｄｔはすべて正の値である。
【００５０】
実施例３の投影光学系ＬＮは、全体で１７枚のレンズエレメントで構成されており、第１レンズ群Ｇｒ１が負、第２レンズ群Ｇｒ２が正、第３レンズ群Ｇｒ３が正、第４レンズ群Ｇｒ４が負、第５レンズ群Ｇｒ５が正、第６レンズ群Ｇｒ６が正の６成分ズームである。変倍時に第６レンズ群Ｇｒ６が固定、広角端（Ｗ）から望遠端（Ｔ）への変倍において、第１レンズ群Ｇｒ１、第２レンズ群Ｇｒ２、第３レンズ群Ｇｒ３、第５レンズ群Ｇｒ５が拡大側へ移動し（移動軌跡ｍ１，ｍ２，ｍ３，ｍ５）、第４レンズ群Ｇｒ４が縮小側へ移動し（移動軌跡ｍ４）、第３レンズ群Ｇｒ３の移動量が最も大きい。また、第５レンズ群Ｇｒ５は拡大側から両凸、両凹、両凸、両凸、両凹、拡大側凸の正メニスカスのそれぞれ単レンズの６枚構成となっており、第５レンズ群Ｇｒ５、第６レンズ群Ｇｒ６内の正レンズの屈折率の温度係数ｄｎ／ｄｔはすべて正の値である。
【００５１】
実施例４の投影光学系ＬＮは、全体で１７枚のレンズエレメントで構成されており、第１レンズ群Ｇｒ１が負、第２レンズ群Ｇｒ２が正、第３レンズ群Ｇｒ３が正、第４レンズ群Ｇｒ４が負、第５レンズ群Ｇｒ５が正、第６レンズ群Ｇｒ６が正の６成分ズームである。変倍時に第１レンズ群Ｇｒ１、第６レンズ群Ｇｒ６が固定、広角端（Ｗ）から望遠端（Ｔ）への変倍において、第２レンズ群Ｇｒ２、第３レンズ群Ｇｒ３、第５レンズ群Ｇｒ５が拡大側へ移動し（移動軌跡ｍ２，ｍ３，ｍ５）、第４レンズ群Ｇｒ４が縮小側へ移動し（移動軌跡ｍ４）、第３レンズ群Ｇｒ３の移動量が最も大きい。また、第５レンズ群Ｇｒ５は拡大側から両凸、両凹、両凸、両凸、両凹、両凸のそれぞれ単レンズの６枚構成となっており、第５レンズ群Ｇｒ５、第６レンズ群Ｇｒ６内の正レンズの屈折率の温度係数ｄｎ／ｄｔはすべて正の値である。
【００５２】
実施例５の投影光学系ＬＮは、全体で１７枚のレンズエレメントで構成されており、第１レンズ群Ｇｒ１が負、第２レンズ群Ｇｒ２が正、第３レンズ群Ｇｒ３が負、第４レンズ群Ｇｒ４が正、第５レンズ群Ｇｒ５が正の５成分ズームである。変倍時に第５レンズ群Ｇｒ５が固定、広角端（Ｗ）から望遠端（Ｔ）への変倍において、第１レンズ群Ｇｒ１、第２レンズ群Ｇｒ２、第４レンズ群Ｇｒ４が拡大側へ移動し（移動軌跡ｍ１，ｍ２，ｍ４）、第３レンズ群Ｇｒ３が縮小側へ移動し（移動軌跡ｍ３）、第２レンズ群Ｇｒ２の移動量が最も大きい。また、第５レンズ群Ｇｒ５は拡大側から両凸、両凹、両凸、両凸、両凹、両凸のそれぞれ単レンズの６枚構成となっており、第４レンズ群Ｇｒ４、第５レンズ群Ｇｒ５内の正レンズの屈折率の温度係数ｄｎ／ｄｔはすべて正の値である。
【００５３】
実施例１
単位：mm
面データ
i              r          d       nd         vd     dn/dt
object(SC)     infinity   infinity
1           110.813     10.146   1.51680   64.20
2         -1575.674      1.216
3            59.978      3.400   1.80809   22.76
4            38.453      9.403
5           189.227      2.300   1.80809   22.76
6            55.054     11.145
7           -44.953      1.900   1.75520   27.53
8          -372.573      7.246
9           -46.967      2.400   1.80518   25.46
10           -92.138      3.784
11           -60.329      7.324   1.91082   35.25
12           -41.797   variable
13          3585.745      6.662   1.72916   54.67
14          -111.168   variable
15           125.725      5.494   1.91082   35.25
16          -332.457   variable
17           -81.951      1.200   1.72916   54.67
18            35.773      2.139
19            39.944      6.619   1.80809   22.76
20         -5306.558   variable
21(ST)      infinity     13.159
22           106.349      5.906   1.62041   60.34  2.4×10-6/℃
23           -49.861      6.790
24           -31.339      1.800   1.72825   28.32
25            42.061      2.445
26            65.528      7.362   1.51680   64.20  2.7×10-6/℃
27           -35.638      5.100
28            81.642      7.984   1.60311   60.69  2.0×10-6/℃
29           -38.596      0.300
30           -69.573      1.917   1.80610   33.27
31            35.289      2.291
32            42.126      7.303   1.51680   64.20  2.7×10-6/℃
33          -760.589   variable
34            50.225      8.115   1.62041   60.34  2.4×10-6/℃
35          -301.976     11.500
36          infinity      2.000   1.51680   64.20
37          infinity      7.500
38          infinity     23.000   1.51680   64.20
39          infinity      3.000
40          infinity      1.100   1.48749   70.44
41          infinity      0.700
image(IM)     infinity
【００５４】
各種データ
zoom ratio    1.48
(W)       (M)       (T)
Fl        20.257    25.128    30.000
Fno.       2.100     2.156     2.209
ω        29.443    24.200    20.571
ymax       11.300    11.300    11.300
TL       311.879   311.865   311.848
BF        39.964    39.951    39.933
d12        27.757    11.689     3.000
d14        67.535    66.713    60.548
d16         3.874    20.765    35.619
d20        14.110     9.147     4.372
d33         5.787    10.751    15.525
【００５５】
ズームレンズ群データ
群 ( 面  i )   焦点距離
1 (  1- 12)    -44.862
2 ( 13- 14)    147.988
3 ( 15- 16)    100.734
4 ( 17- 20)   -131.372
5 ( 21- 33)    160.418
6 ( 34- 41)     70.028
【００５６】
実施例２
単位：mm
面データ
i              r          d       nd         vd     dn/dt
object(SC)     infinity   infinity
1            88.277     11.674   1.51680   64.20
2        -10813.149      0.200
3            73.916      4.357   1.60311   60.69
4            37.954     10.791
5           226.687      2.598   1.78472   25.72
6            50.477     11.548
7           -53.273      2.259   1.80518   25.46
8            90.432     10.887
9           -67.043      3.151   1.83481   42.72
10          1443.022      1.125
11           507.838      9.024   1.90366   31.31
12           -49.824   variable
13           555.812      5.531   1.48749   70.44
14           -94.743   variable
15            64.471      4.457   1.48749   70.44
16           213.980   variable
17           -89.298      2.643   1.78590   43.93
18            48.223      1.667
19            50.391      5.913   1.80809   22.76
20          -240.180   variable
21(ST)      infinity     11.841
22            97.978      6.644   1.60311   60.69  2.0×10-6/℃
23           -49.646      3.281
24           -36.516      1.757   1.80610   33.27
25            59.374      2.464
26            70.971      6.919   1.60311   60.69  2.0×10-6/℃
27           -51.612      0.200
28           112.162      6.287   1.60311   60.69  2.0×10-6/℃
29           -48.346      0.895
30           -69.288      1.873   1.80610   33.27
31            42.597      3.025
32            57.068      4.766   1.60311   60.69  2.0×10-6/℃
33          -223.860   variable
34            68.995      5.752   1.60311   60.69  2.0×10-6/℃
35          -152.426     11.500
36          infinity      2.000   1.51680   64.20
37          infinity      7.500
38          infinity     23.000   1.51680   64.20
39          infinity      3.000
40          infinity      1.100   1.48749   70.44
41          infinity      0.700
image(IM)     infinity
【００５７】
各種データ
zoom ratio    1.48
(W)       (M)       (T)
Fl        20.222    24.606    29.954
Fno.       2.280     2.280     2.280
ω        29.283    24.743    20.736
ymax       11.340    11.340    11.340
TL       314.716   314.704   314.684
BF        39.942    39.931    39.910
d12        74.962    57.311    42.962
d14         1.000     4.173     1.000
d16        15.894    30.372    47.894
d20        13.904     8.466     1.335
d33        25.485    30.923    38.054
【００５８】
ズームレンズ群データ
群 ( 面  i )   焦点距離
1 (  1- 12)    -51.067
2 ( 13- 14)    166.509
3 ( 15- 16)    187.450
4 ( 17- 20)   -210.720
5 ( 21- 33)    159.663
6 ( 34- 41)     79.529
【００５９】
実施例３
単位：mm
面データ
i              r          d       nd         vd     dn/dt
object(SC)     infinity   infinity
1           122.495     10.059   1.51680   64.20
2          -658.749      1.561
3            68.107      3.400   1.80809   22.76
4            40.717      8.959
5           222.709      2.300   1.80809   22.76
6            62.459     10.454
7           -47.268      1.900   1.75520   27.53
8          -557.284      8.107
9           -43.273      2.400   1.80518   25.46
10          -105.910      3.672
11           -70.763      8.265   1.91082   35.25
12           -43.376   variable
13           789.051      6.955   1.72916   54.67
14          -121.012   variable
15           127.781      5.829   1.91082   35.25
16          -437.313   variable
17           -85.227      1.200   1.72916   54.67
18            37.185      2.112
19            40.987      6.881   1.80809   22.76
20          -927.016   variable
21(ST)      infinity     13.085
22           154.872      5.668   1.62041   60.34  2.4×10-6/℃
23           -46.353      5.904
24           -29.584      1.800   1.72825   28.32
25            44.911      2.483
26            70.574      6.861   1.51680   64.20  2.7×10-6/℃
27           -40.389      0.300
28            59.848      7.854   1.60311   60.69  2.0×10-6/℃
29           -41.518      0.300
30          -103.322      1.600   1.80610   33.27
31            32.277      2.292
32            38.455      6.362   1.51680   64.20  2.7×10-6/℃
33           424.582   variable
34            60.815      7.992   1.62041   60.34  2.4×10-6/℃
35          -135.416     11.500
36          infinity      2.000   1.51680   64.20
37          infinity      7.500
38          infinity     23.000   1.51680   64.20
39          infinity      3.000
40          infinity      1.100   1.48749   70.44
41          infinity      0.700
image(IM)     infinity
【００６０】
各種データ
zoom ratio    1.48
(W)       (M)       (T)
Fl        20.255    25.124    29.995
Fno.       2.100     2.139     2.187
ω        29.444    24.154    20.507
ymax       11.300    11.300    11.300
TL       319.938   321.221   324.050
BF        39.954    39.952    39.932
d12        31.716    15.102     5.207
d14        67.868    67.791    63.648
d16         4.008    23.666    41.548
d20        17.325    12.185     6.974
d33        12.512    15.969    20.186
【００６１】
ズームレンズ群データ
群 ( 面  i )   焦点距離
1 (  1- 12)    -44.398
2 ( 13- 14)    144.358
3 ( 15- 16)    109.105
4 ( 17- 20)   -158.277
5 ( 21- 33)    184.569
6 ( 34- 41)     68.716
【００６２】
実施例４
単位：mm
面データ
i              r          d       nd         vd     dn/dt
object(SC)     infinity   infinity
1           121.173     10.062   1.51680   64.20
2          -700.836      0.858
3            65.683      3.400   1.80809   22.76
4            41.929      8.501
5           161.016      2.300   1.80809   22.76
6            55.302     10.742
7           -51.207      1.900   1.75520   27.53
8          -941.372      8.926
9           -37.838      2.400   1.80518   25.46
10          -130.093      3.208
11           -89.004      8.888   1.91082   35.25
12           -43.226   variable
13        -10039.022      6.905   1.72916   54.67
14          -107.560   variable
15           138.188      5.545   1.91082   35.25
16          -296.175   variable
17           -91.305      1.200   1.72916   54.67
18            35.265      2.140
19            39.149      6.013   1.80809   22.76
20         -1059.812   variable
21(ST)      infinity     10.690
22            88.872      7.272   1.62041   60.34  2.4×10-6/℃
23           -40.536      3.516
24           -28.709      1.300   1.72825   28.32
25            39.381      4.093
26            77.185      7.049   1.51680   64.20  2.7×10-6/℃
27           -40.714      0.300
28            79.130      7.920   1.60311   60.69  2.0×10-6/℃
29           -36.443      0.300
30           -69.102      1.600   1.80610   33.27
31            34.013      2.280
32            40.772      6.013   1.51680   64.20  2.7×10-6/℃
33         -1407.216   variable
34            64.987      6.975   1.62041   60.34  2.4×10-6/℃
35          -108.077     11.500
36          infinity      2.000   1.51680   64.20
37          infinity      7.500
38          infinity     23.000   1.51680   64.20
39          infinity      3.000
40          infinity      1.100   1.48749   70.44
41          infinity      0.700
image(IM)     infinity
【００６３】
各種データ
zoom ratio    1.48
(W)       (M)       (T)
Fl        20.270    25.142    30.016
Fno.       2.100     2.129     2.155
ω        29.425    24.068    20.395
ymax       11.300    11.300    11.300
TL       315.962   315.962   315.952
BF        39.953    39.953    39.943
d12        31.511    13.563     3.000
d14        66.819    67.948    63.566
d16         3.795    22.563    40.231
d20        19.048    14.544     9.449
d33        12.540    15.096    17.467
【００６４】
ズームレンズ群データ
群 ( 面  i )   焦点距離
1 (  1- 12)    -45.951
2 ( 13- 14)    149.066
3 ( 15- 16)    104.084
4 ( 17- 20)   -168.934
5 ( 21- 33)    213.481
6 ( 34- 41)     66.440
【００６５】
実施例５
単位：mm
面データ
i              r          d       nd         vd     dn/dt
object(SC)     infinity   infinity
1           152.023      9.932   1.51680   64.20
2          -319.391      0.300
3            75.653      3.400   1.80809   22.76
4            45.628      8.140
5           203.679      3.462   1.80809   22.76
6            62.640     10.994
7           -42.617      1.900   1.75520   27.53
8          -184.645      6.701
9           -45.252      1.900   1.80518   25.46
10          -105.257      3.683
11           -66.172      6.601   1.91082   35.25
12           -40.829   variable
13          -359.067      5.648   1.72916   54.67
14          -102.716     48.567
15           116.733      5.512   1.91082   35.25
16          -418.264   variable
17          -123.264      1.200   1.72916   54.67
18            32.243      2.185
19            36.293      6.946   1.80809   22.76
20           922.574   variable
21(ST)      infinity      6.019
22            40.278      8.278   1.62041   60.34  2.4×10-6/℃
23           -48.319      3.685
24           -30.851      1.300   1.72825   28.32
25            28.135      6.821
26           104.909      7.426   1.51680   64.20  2.7×10-6/℃
27           -37.321      0.300
28           172.027      8.705   1.60311   60.69  2.0×10-6/℃
29           -29.921      0.300
30           -49.538      1.600   1.80610   33.27
31            38.524      2.692
32            52.903      7.357   1.51680   64.20  2.7×10-6/℃
33          -156.468   variable
34            50.473      7.778   1.62041   60.34  2.4×10-6/℃
35          -139.788     11.500
36          infinity      2.000   1.51680   64.20
37          infinity      7.500
38          infinity     23.000   1.51680   64.20
39          infinity      3.000
40          infinity      1.100   1.48749   70.44
41          infinity      0.700
image(IM)     infinity
【００６６】
各種データ
zoom ratio    1.48
(W)       (M)       (T)
Fl        20.269    25.136    30.008
Fno.       2.100     2.129     2.169
ω        29.428    24.088    20.398
ymax       11.300    11.300    11.300
TL       285.140   289.523   299.166
BF        39.959    39.969    39.948
d12        26.510    12.418     3.000
d16         3.582    23.357    42.494
d20        20.756    16.410    12.071
d33         5.000     8.034    12.319
【００６７】
ズームレンズ群データ
群 ( 面  i )   焦点距離
1 (  1- 12)    -50.154
2 ( 13- 16)     79.284
3 ( 17- 20)   -171.722
4 ( 21- 33)    218.661
5 ( 34- 41)     60.723
【００６８】
【表１】
2019086530.tif 000003
【符号の説明】
【００６９】
ＬＮ    投影光学系
Ｇｒｊ    第ｊレンズ群（ｊ＝１，２，…，６）
ＧｒＡ    Ａ群
ＧｒＢ    Ｂ群
ＧｒＣ    Ｃ群
Ｌｐ    正の単レンズ
Ｌｍ    負の単レンズ
ＳＴ    絞り
ＰＲ    プリズム
ＩＭ    画像表示面（縮小側像面）
ＳＣ    スクリーン面（拡大側像面）
ＰＪ    プロジェクター（投影装置）
１    光源
２    照明光学系
３    反射ミラー
４    画像表示素子
５    制御部
６    アクチュエーター
７    メモリー
ＡＸ    光軸
【図１】
2019086530.tif 000004
【図２】
2019086530.tif 000005
【図３】
2019086530.tif 000006
【図４】
2019086530.tif 000007
【図５】
2019086530.tif 000008
【図６】
2019086530.tif 000009
【図７】
2019086530.tif 000010
【図８】
2019086530.tif 000011
【図９】
2019086530.tif 000012
【図１０】
2019086530.tif 000013
【図１１】
2019086530.tif 000014
【図１２】
2019086530.tif 000015